(57)【要約】【課題】ハウジング内でバスバーを確実に位置決めできる照明ユニットを提供する。【解決手段】照明ユニットＡは、相手コネクタが嵌合されるコネクタ嵌合室３と部品収容室２とを有するハウジング１と、部品収容室２に挿入によって収容され、コネクタ嵌合室３に突出されるタブ端子部２５と、タブ端子部２５に一体に設けられ、部品収容室２に配置される固定接点部２２及びバネ接点部２３とを有するバスバー２０と、部品収容室２に挿入によって収容され、バスバー２０の固定接点部２２及びバネ接点部２３に挟持されて電気的に接続される回路基板３０とを備え、ハウジング１には、挿入完了位置の回路基板３０を位置決めする基板ガイド溝８が設けられ、バスバー２０の基板接点部２２，２３には、挿入完了位置の回路基板３０に位置決めされる基板前面突き当て面２１ａ及び基板下面突き当て面２２ａが設けられた。【選択図】図４
2020013674.tif 000002
【特許請求の範囲】
【請求項１】
相手コネクタが嵌合されるコネクタ嵌合室と部品収容室とを有するハウジングと、
前記部品収容室に挿入によって収容され、前記コネクタ嵌合室に突出される嵌合用端子部と、前記嵌合用端子部に一体に設けられ、前記部品収容室に配置される基板接点部とを有するバスバーと、
前記部品収容室に挿入によって収容され、前記バスバーの基板接点部に挟持されることによって電気的に接続される回路基板とを備え、
前記ハウジングには、挿入完了位置の前記回路基板を位置決めする基板位置決め部が設けられ、
前記バスバーの前記基板接点部には、挿入完了位置の前記回路基板に位置決めされるバスバー位置決め部が設けられたことをことを特徴とする照明ユニット。
【請求項２】
請求項１記載の照明ユニットであって、
前記バスバーの前記基板接点部は、ベースプレート部の一方側に延びる固定接点部と、前記固定接点部に間隔を置いて前記ベースプレート部の一方側に延びるバネ接点部を有し、
前記バスバーのバスバー位置決め部は、前記ベースプレート部の一方側の端面に基板前面突き当て面と、前記固定接点の前記バネ接点部側の端面に形成された基板下面突き当て面とを有することを特徴とする照明ユニット。
【請求項３】
請求項２に記載の照明ユニットであって、
前記バスバーは、前記ベースプレート部の一方側に延び、且つ、前記バネ接点部の前記固定接点部とは反対側に保護突起部を有することを特徴とする照明ユニット。
【請求項４】
請求項１〜請求項３のいずれかに記載の照明ユニットであって、
前記バスバーには、バスバー挿入完了位置で前記ハウジングに係止する係止爪部が設けられていることを特徴とする照明ユニット。
【請求項５】
請求項１〜請求項４のいずれかに記載の照明ユニットであって、
前記ハウジングの前記部品収容室には、前記バスバーの挿入をガイドするバスバーガイド溝と、前記回路基板の挿入をガイドする基板ガイド溝が設けられ、
前記バスバーガイド溝が前記バスバー位置決め部を兼用していることを特徴とする照明ユニット。
【請求項６】
請求項１〜請求項５のいずれかに記載の照明ユニットであって、
前記ハウジングに組み付けされ、前記ハウジングの開口を閉塞するカバーを有し、
前記カバーが前記バスバーの挿入後端面に当接することを特徴とする照明ユニット。
【請求項７】
請求項１〜請求項６のいずれかに記載の照明ユニットであって、
前記ハウジングの前記部品収容室に配置されるレンズを有し、
前記カバーが前記レンズを下方に押圧し、前記レンズが回路基板を押圧することを特徴とする照明ユニット。
【請求項８】
請求項１〜請求項６のいずれかに記載の照明ユニットであって、
前記カバーの後面部の内面は、垂直方向に対して傾斜されており、傾斜された後面部の内面が前記回路基板の挿入後端面に当接することを特徴とする照明ユニット。
【発明の詳細な説明】
【技術分野】
【０００１】
本発明は、車両の室内等に使用される照明ユニットに関する。
【背景技術】
【０００２】
例えば、車両には、種々の場所（ドアカーテシー照明、足元照明、マップ照明、充電口照明等）に照明ユニットが設置される。従来例の照明ユニットとしては、開口を有するハウジングと、ハウジング内に収容される複数のバスバーと、ハウジング内に収容され、光源が搭載された回路基板とを備えたものが提案されている（特許文献１）。
【０００３】
各バスバーは、コネクタ嵌合用の嵌合用端子部と、回路基板との電気的接続を行う基板接点部とを一体に設けることが考えられる。このような構成にすれば、各バスバーをハウジング内に挿入することによって、嵌合用端子部を相手コネクタ嵌合室に配置し、基板接続部を部品収容室に配置する。次に、回路基板をハウジング内の部品収容室に挿入することによって、回路基板と各バスバーの基板接点部を電気的に接続する。相手コネクタのコネクタ嵌合で相手端子と嵌合用端子間の接続を行うことによって、車体側と照明ユニット間を電気的に接続することができる。
【０００４】
ところで、各バスバーの嵌合用端子は、ハウジングの相手コネクタ嵌合室に整列された状態で所定位置に配置する必要がある。そのため、各バスバーが挿入されるハウジング内の各位置に係止部をそれぞれ設けて各バスバーをハウジングに対して位置決めすることが考えられる。
【先行技術文献】
【特許文献】
【０００５】
【特許文献１】特開２０１４−１５７６８９号公報
【発明の概要】
【発明が解決しようとする課題】
【０００６】
しかしながら、各バスバーをハウジングの各係止部によって位置決めする構成とすると、ハウジング内への挿入部品である各バスバーとハウジング内のバスバー挿入空間との間にはクリアランスを設ける必要がある等の理由によって、各バスバーを精度良く位置決めすることが困難である。そのため、各バスバーの嵌合側端子の先端高さがバラバラで一定しなかったり、各バスバーの基板接点部の高さがバラバラで一定しない恐れがある。このように各バスバーが整列された状態で位置決めされないと、相手コネクタの相手端子との間や回路基板との間で安定した電気的接続性が確保できない等の不具合が生じる。
【０００７】
そこで、本発明は、前記した課題を解決すべくなされたものであり、相手コネクタの相手端子との間、及び、回路基板との間で安定した電気的接続性が確保できる照明ユニットを提供することを目的とする。
【課題を解決するための手段】
【０００８】
本発明は、相手コネクタが嵌合されるコネクタ嵌合室と部品収容室とを有するハウジングと、前記部品収容室に挿入によって収容され、前記コネクタ嵌合室に突出される嵌合用端子部と、前記嵌合用端子部に一体に設けられ、前記部品収容室に配置される基板接点部とを有するバスバーと、前記部品収容室に挿入によって収容され、前記バスバーの基板接点部に挟持されることによって電気的に接続される回路基板とを備え、前記ハウジングには、挿入完了位置の前記回路基板を位置決めする基板位置決め部が設けられ、前記バスバーの前記基板接点部には、挿入完了位置の前記回路基板に位置決めされるバスバー位置決め部が設けられたことを特徴とする照明ユニットである。
【発明の効果】
【０００９】
本発明によれば、バスバーがハウジングではなくて回路基板に挟持することによって位置決めされるため、複数のバスバーが回路基板にバラツキなく位置決めされ、回路基板が基板位置決め部によってハウジングに位置決めされる。従って、各バスバーがハウジングに対して精度良く位置決めされることになり、相手コネクタの相手端子との間及び回路基板との間で安定した電気的接続性が確保できる。
【図面の簡単な説明】
【００１０】
【図１】本発明の第１実施形態を示し、照明ユニットの分解斜視図である。
【図２】本発明の第１実施形態を示し、照明ユニットの斜視図である。
【図３】本発明の第１実施形態を示し、図２のＡ−Ａ線断面図である。
【図４】本発明の第１実施形態を示し、図２のＢ−Ｂ線断面図である。
【図５】本発明の第１実施形態を示し、図４のＣ−Ｃ線断面図である。
【図６】本発明の第１実施形態を示し、図４のＤ−Ｄ線断面図である。
【図７】本発明の第１実施形態を示し、ハウジングの斜視図である。
【図８】本発明の第１実施形態を示し、ハウジングの後面図である。
【図９】本発明の第１実施形態を示し、（ａ）はバスバーの斜視図、（ｂ）はバスバーの側面図である。
【図１０】本発明の第１実施形態を示し、（ａ）は上方から見たレンズの斜視図、（ｂ）は下方から見たレンズの斜視図である。
【図１１】本発明の第１実施形態を示し、（ａ）はレンズカバーの斜視図、（ｂ）はレンズカバーの正面図、（ｃ）はレンズカバーの底面図である。
【図１２】本発明の第１実施形態を示し、（ａ）は仮係止されたバスバーが揺動する状態を示す要部断面図、（ｂ）はバスバーのバネ接点部に回路基板が接触開始する状態を示す図である。
【図１３】本発明の第１実施形態を示し、照明ユニットの組み立て過程を示す斜視図である。
【図１４】本発明の第１実施形態を示し、図４のＦ部拡大図である。
【図１５】本発明の第２実施形態を示し、照明ユニットの分解斜視図である。
【図１６】本発明の第２実施形態を示し、照明ユニットの斜視図である。
【図１７】本発明の第２実施形態を示し、照明ユニットの断面図である。
【図１８】本発明の第２実施形態を示し、ハウジングの斜視図である。
【図１９】本発明の第２実施形態を示し、（ａ）はレンズカバーの正面図、（ｂ）はレンズカバーの底面図である。
【図２０】本発明の第２実施形態を示し、照明ユニットの組み立て過程を示す斜視図である。
【図２１】本発明の第２実施形態を示し、図１７のＧ部拡大図である。
【発明を実施するための形態】
【００１１】
以下、本発明の実施形態を図面に基づいて説明する。
【００１２】
（第１実施形態）
図１〜図１４は本発明の第１実施形態を示す。照明ユニットＡは、ハウジング１と、ハウジング１内に収容される４本のバスバー２０、回路基板３０及びレンズ３５と、ハウジング１の開口を閉塞するレンズカバー（カバー）４０とを備えている。
【００１３】
ハウジング１は、光を透過させない部材より形成されている。ハウジング１は、概略外形が直方体である。ハウジング１は、部品収容室２とコネクタ嵌合室３を有する。部品収容室２とコネクタ嵌合室３の間には、仕切壁４が設けられている。部品収容室２は、底壁５と一対の側壁６と仕切壁４に囲まれており、上面と後面が開口されている。この開口箇所がレンズカバー４０で閉塞される。
【００１４】
部品収容室２を形成する底壁５の内面側には、４条のバスバーガイド溝７が形成されている。仕切壁４には、４つの端子貫通孔９が形成されている。各バスバーガイド溝７と各端子貫通孔９は、それぞれ対応する位置に配置されている。仕切壁４には、端子貫通孔９に配置されたバスバー２０の両側面に当接するバスバー横規制壁１４（図６、図７参照）が設けられている。バスバー２０は、一対のバスバーガイド溝７にガイドされることにより部品収容室２に挿入され、バスバー２０の下記するタブ端子部２５が端子貫通孔９よりコネクタ嵌合室３に突出する位置に配置される。
【００１５】
部品収容室２を形成する一対の側壁６の内面側には、一対の基板ガイド溝８が設けられている。基板ガイド溝８は、回路基板３０の挿入ガイドであると共に、挿入完了位置の回路基板３０を位置決めする基板位置決め部を兼用する。
【００１６】
一対の側壁６の外面側には、ハウジング側変形規制壁１０がそれぞれ突設されている。各ハウジング側変形規制壁１０は、各側壁６の上面よりもレンズカバー４０の厚み分だけ高く設けられている。ハウジング側変形規制壁１０の両方の側面が突き当て面１０ａに形成されている。ハウジング側変形規制壁１０の外面には、一対の車体用ロック爪１３が設けられている。この一対の車体用ロック爪１３を用いても照明ユニットＡを車両に固定することができる。
【００１７】
一対のハウジング側変形規制壁１０が外側に突設された各側壁６の上部には、レンズ用凹部１１Ａがそれぞれ設けられている。
【００１８】
一対の側壁６の外面には、ハウジング側変形規制壁１０の左右の外側位置にロック用突部１２がそれぞれ設けられている。
【００１９】
各バスバー２０は、フラットな所定形状の導電性金属板より形成されている。各バスバー２０は、ベースプレート部２１と、ベースプレート部２１の一側端より突出した基板接点部である固定接点部２２及びバネ接点部２３と、ベースプレート部２１の一側端より突出した保護突起部２４と、ベースプレート部２１の他側端より突出した嵌合用端子部であるタブ端子部２５と、ベースプレート部２１の他側端より突出した係止爪部２６とを有する。
【００２０】
固定接点部２２とバネ接点部２３は、部品収容室２内に配置され、互いに間隔を置いて配置されている。固定接点部２２とバネ接点部２３は、バネ接点部２３の弾性復帰力で回路基板３０を挟持することによって回路基板３０と電気的に接続する。
【００２１】
保護突起部２４は、バネ接点部２３の固定接点部２２とは反対側に設けられている。つまり、バネ接点部２３は、保護突起部２４と固定接点部２２に挟まれた位置に設けられている。
【００２２】
ベースプレート部２１の一側端で、且つ、固定接点部２２とバネ接点部２３の間の端面は、基板前面突き当て面２１ａに形成されている。固定接点部２２のバネ接点部２３側の端面は、基板下面突き当て面２２ａに形成されている。基板前面突き当て面２１ａと基板下面突き当て面２２ａによって基板位置決め部が構成されている。
【００２３】
タブ端子部２５は、コネクタ嵌合室３に配置され、嵌合された相手コネクタの相手端子（図示せず）と電気的に接続する。
【００２４】
ベースプレート部２１の他側端で、且つ、タブ端子部２５の周囲の端面は、ハウジング突き当て面２１ｂに形成されている。
【００２５】
係止爪部２６は、バスバー２０の挿入完了位置でハウジング１に係止される。
【００２６】
回路基板３０は、扁平直方体である。扁平直方体であるため、回路基板３０の各面（例えば挿入先端面、底面）は、幅方向の位置に対してバラツキのない高精度の基準面となる。回路基板３０は、光源である発光ダイオード３１と共に他の電子部品３２が搭載されている。回路基板３０には、回路パターンが設けられている。搭載された電子部品３２及び回路パターンによって発光ダイオード３１の駆動回路が構成されている。発光ダイオード３１は、三色発光のマルチ発光ＬＥＤである。回路パターンには、４つの接点部３３が設けられている。各接点部３３が各バスバー２０の固定接点部２２とバネ接点部２３に電気的に接続される。
【００２７】
レンズ３５は、光を透過させる材料で形成されている。レンズ３５は、概略直方体状のレンズ支持部３６と、レンズ支持部３６の上面に設けられたレンズ体３７とを有する。レンズ支持部３６の底面には、左右一対の底台３８が突設されていいる。各底台３８には、リブ３８ａがそれぞれ設けられている。レンズ３５は、レンズ支持部３６の左右端部が一対の側壁６のレンズ用凹部１１Ａに入り込むことによって位置決めされた状態で部品収容室２に収容されている。レンズ３５は、発光ダイオード３１の真上位置に配置されている。
【００２８】
レンズカバー４０は、光を透過させない材料で形成されている。レンズカバー４０は、上面部４１と、上面部４１の後端より垂下された後面部４２と、上面部４１の左右の側端より垂下された一対のカバー側変形規制壁４３と、上面部４１の前端より垂下されたバスバー規制壁４８とを備えている。一対の各カバー側変形規制壁４３は、間隔を置いて２箇所に設けられている。一対のカバー側変形規制壁４３の互いに対向する側面が突き当て面４３ａに形成されている。バスバー規制壁４８は、ハウジング１に組み付け状態では、バスバー２０の保護突起部２４の後端に位置する。
【００２９】
レンズカバー４０は、各カバー側変形規制壁４３の間に各ハウジング側変形規制壁１０が入り込むようにしてハウジング１の上方から組み付けされる。レンズカバー４０は、ハウジング１に組付けされた状態では、ハウジング１の部品収容室２の上面開口と後面開口を閉塞する。レンズカバー４０は、ハウジング１に組み付け状態では、２箇所のカバー側変形規制壁４３がハウジング側変形規制壁１０の外側に配置され、ハウジング側変形規制壁１０を挟み込みように配置される。カバー側変形規制壁４３の突き当て面４３ａとハウジング側変形規制壁１０の突き当て面１０ａ同士が当接される。
【００３０】
各カバー側変形規制壁４３の内面には、ロック爪４４がそれぞれ設けられている。レンズカバー４０は、ハウジング１に組み付け状態では、ロック爪４４がハウジング１のロック用突部１２に係止される。つまり、ロック用突部１２とロック爪４４は、ハウジング１とレンズカバー４０のロック手段を構成している。
【００３１】
上面部４１には、カバー側取付部４５が突設されている。カバー側取付部４５は、円筒部４５ａと、円筒部４５ａの外周面に突設された２箇所の弾性係止部４６とを有する。円筒部４５ａを照明取付部材の穴（図示せず）に挿入し回転することにより弾性係止部４６が照明取付部材に係止される。これによって、照明ユニットＡを照明取付部材に固定できる。
【００３２】
後面部４２は、一対のカバー側変形規制壁４３の後端側に連続して設けられている。後面部４２の内面には、一対のリブ４２ａが上下方向に延設されている。レンズカバー４０は、ハウジング１への組付け完了位置では、一対のリブ４２ａが回路基板３０の挿入後端面に当接する。
【００３３】
次に照明ユニットＡの組付け手順を説明する。バスバー２０をチャック治具（図示せず）で把持し、４本のバスバー２０をそのタブ端子部２５を先端としてハウジング１の部品収容室２にそれぞれ挿入する。各バスバー２０の挿入は、バスバーガイド溝７をガイドとして行い、各バスバー２０のハウジング突き当て面２１ｂが仕切壁４に当接する位置が挿入完了位置である。バスバー２０は、固定接点部２２及びバネ接点部２３が部品収容室２に、タブ端子部２５が仕切壁４の端子貫通孔９よりコネクタ嵌合室３にそれぞれ配置される。
【００３４】
次に、回路基板３０をハウジング１の部品収容室２に挿入する。回路基板３０の挿入は、一対の基板ガイド溝８をガイドとして行い、回路基板３０の挿入前端面がバスバー２０の基板前面突き当て面２１ａに突き当たる位置が挿入完了位置である。又、回路基板３０の挿入前端側の下面がバネ接点部２３の変形復帰力によってバスバー２０の基板下面突き当て面２２ａに当接する。回路基板３０の基板完了位置では、各バスバー２０と回路基板３０の各接点部３３が電気的に接続される。
【００３５】
次に、レンズ３５をハウジング１の上方開口側より部品収容室２に挿入する。詳細には、レンズ３５のレンズ支持部３６の左右端部を一対の側壁６のレンズ用凹部１１Ａに落とし込む。これにより、レンズ３５は、水平方向が位置決めされた状態で部品収容室２に配置される。レンズ３５は、発光ダイオード３１の上方位置に配置される。
【００３６】
次に、図１３に示すように、レンズカバー４０をハウジング１の上方開口側より組付ける。組み付け過程では、先ず、ロック爪４４がハウジング１のロック用突部１２に突き当たる。この位置よりレンズカバー４０をハウジング１側に押し込むと、カバー側変形規制壁４３が撓み変形によってロック爪４４がロック用突部１２の上面を摺動する。レンズカバー４０が組み付け完了位置に達すると、ロック爪４４がロック用突部１２を完全に乗り越える位置に達し、ロック爪４４がカバー側変形規制壁４３の撓み復帰方向によってロック用突部１２に係止される。これにより、レンズカバー４０は、レンズ３５の上方への移動を規制し、レンズ３５のリブ３８ａが回路基板３０の上方への移動を規制する。つまり、レンズカバー４０によって、部品収容室２内でレンズ３５及び回路基板３０が上下方向に位置決めされる。これで、組付けが完了する（図２参照）。
【００３７】
以上説明したように、照明ユニットＡは、相手コネクタ（図示せず）が嵌合されるコネクタ嵌合室３と部品収容室２とを有するハウジング１と、部品収容室２に挿入によって収容され、コネクタ嵌合室３に突出される嵌合用端子部であるタブ端子部２５と、タブ端子部２５に一体に設けられ、部品収容室２に配置される基板接点部である固定接点部２２及びバネ接点部２３とを有するバスバー２０と、部品収容室２に挿入によって収容され、バスバー２０の基板接点部である固定接点部２２及びバネ接点部２３に電気的に接続される回路基板３０とを備え、ハウジング１には、挿入完了位置の回路基板３０を位置決めする基板ガイド溝８が設けられ、バスバー２０の基板接点部２２，２３には、挿入完了位置の回路基板３０に位置決めされる基板前面突き当て面２１ａ及び基板下面突き当て面２２ａが設けられている。
【００３８】
従って、各バスバー２０がハウジング１ではなくて回路基板３０に挟持することによって位置決めされるため、複数のバスバー２０が回路基板３０にバラツキなく位置決めされ、回路基板３０がハウジング１に位置決めされる。従って、各バスバー２０が回路基板３０を介してハウジング１に精度良く位置決めされることになり、相手コネクタの相手端子（図示せず）とタブ端子部２５の間、及び、各バスバー２０と回路基板３０との間で安定した電気的接続性が確保できる。
【００３９】
詳細には、バスバー２０は、ハウジング１に係止爪部２６で係止された状態では、ハウジング１との間のクリアランスによって、図１２（ａ）に示すように、搖動自在である。回路基板３０の挿入先端がバネ接点部２３に干渉すると、図１２（ｂ）にて仮想線で示すように、バネ接点部２３が上方に押されて変位して、図１２（ｂ）にて実線で示すように、回路基板３０のバネ接点部２３と固定接点部２２間への挿入が許容される。そして、回路基板３０は、バネ接点部２３のバネ力によって固定接点部２２の基板突き当て面２２ａにガイドされつつ挿入される。回路基板３０の下面がバスバー２０の基板下面突き当て面２２ａに当接するため、バスバー２０の搖動方向のアライメントズレが修正される。そして、回路基板３０が挿入完了位置まで挿入されると、回路基板３０の挿入前端面がバスバー２０の基板前面突き当て面２１ａに当接される。これにより、全てのバスバー２０は、回路基板３０の下面と挿入先端面を基準面、つまり、上下方向と水平方向（挿入方向）が回路基板３０に位置決めされるため、各バスバー２０同士が整列された状態で配置される。
【００４０】
バスバー２０の基板接点部２２，２３は、ベースプレート部２１の一方側に延びる固定接点部２２と、固定接点部２２に間隔を置いてベースプレート部２１の一方側に延びるバネ接点部２３を有し、バスバー２０のバスバー位置決め部は、ベースプレート部２１の一方側の端面に基板前面突き当て面２１ａと、固定接点部２２のバネ接点部２３側の端面に形成された基板下面突き当て面２２ａとを有する。
【００４１】
従って、バスバー位置決め部をバスバー２０の端面を利用して設けることができるため、バスバー２０の構成が複雑化しない。また、バスバー２０の挿入作業完了時において、バスバー２０が半挿入位置（挿入完了位置の手前位置）までしか挿入されていなかった場合には、回路基板３０の挿入過程で回路基板３０がバスバー２０を挿入完了位置まで移動するため、バスバー２０の半挿入状態を防止できる。
【００４２】
バスバー２０は、ベースプレート部２１の一方側に延び、且つ、バネ接点部２３の固定接点部２２とは反対側に保護突起部２４を有する。
【００４３】
バネ接点部２３は、撓み変形可能とするために強度的に弱い構造であるが、バネ接点部２３の両側に固定接点部２２と保護突起部２４に配置されるため、他部品がバネ接点部２３に直接干渉するのを極力防止できる。つまり、例えば、バスバー２０はキャリアーを介して連続的に接続された状態で部品供給されるが、その際にバネ接点部２３の両側に固定接点部２２と保護突起部２４が配置されるため、バネ接点部２３が他部品に干渉することによって損傷することを極力防止できる。
【００４４】
バスバー２０には、バスバー挿入完了位置でハウジング１に係止する係止爪部２６が設けられている。従って、バスバー２０を部品収容室２に挿入した場合に、挿入完了位置で仮位置決めされるため、他のバスバー２０や回路基板３０の挿入作業性が向上する。つまり、部品収容室２の挿入完了位置まで挿入したバスバー２０が移動すると、その後の部品お挿入作業に支障を来す恐れがあるが、このような不都合が生じない。
【００４５】
ハウジング１の部品収容室２には、バスバー２０の挿入をガイドするバスバーガイド溝７と、回路基板３０の挿入をガイドする基板ガイド溝８が設けられている。従って、バスバー２０と回路基板３０の挿入作業性が向上する。
【００４６】
基板ガイド溝８が基板位置決め部を兼用する。従って、ハウジング１の構成が複雑化しない。
【００４７】
ハウジング１には、部品収容室２に収容されたバスバー２０の両側面に当接するバスバー横規制壁１４が設けられている。従って、バスバー２０の横ずれや斜め姿勢を防止できる。
【００４８】
図４に示すように、ハウジング１に組み付けされたレンズカバー４０のバスバー規制壁４８がバスバー２０の保護突起部２４の後端面に当接する。従って、バスバー２０が挿入方向の反対方向（図４の矢印方向）に移動するのを防止できる。つまり、相手コネクタのコネクタ嵌合室３への嵌合時には、相手端子（図示せず）からの押圧力をタブ端子部２５が受けるが、相手端子からの押圧力によってバスバー２０が挿入方向の反対方向（図４の矢印方向）に移動するのを防止できるため、確実で安定した端子接続が可能である。
【００４９】
図１４に示すように、レンズカバー４０の後面部４２が挿入完了位置の回路基板３０の挿入後端面を突き当たる。従って、回路基板３０が半挿入位置（挿入完了位置より手前位置）までしか挿入されていない場合には、レンズカバー４０の組付けができないため、回路基板３０の中途挿入を認識できる。
【００５０】
図１４に示すように、レンズカバー４０の上面部４１がレンズ３５を下方に押圧し、レンズ３５のリブ３８ａを介して回路基板３０を下方に押圧する。これにより、回路基板３０が基板ガイド溝８の底面に押圧される。回路基板３０は、ハウジング１の基板ガイド溝８の底面を基準として上下方向が位置決めされる。これにより、ハウジング１内に収容された回路基板３０と各バスバー２０は、ハウジング１に精度良く位置決めされる。
【００５１】
バスバー２０には、バスバー挿入完了位置でハウジング１に当接するハウジング突き当て面２１ｂと、回路基板３０の挿入完了位置で回路基板３０の先端面が当接する基板前面突き当て面２１ａが設けられている。従って、部品収容室２に収容されたバスバー２０は、ハウジング突き当て面２１ｂがハウジング１に突き当たることによってバスバー挿入方向の移動が阻止され、基板突き当て面２１ａが回路基板３０に突き当たることによってバスバー挿入方向の反対方向への移動が阻止される。
【００５２】
（第２実施形態）
図１５〜図２１は本発明の第２実施形態を示す。照明ユニットＢは、ハウジング１と、ハウジング１内に収容される４本のバスバー２０及び回路基板３０と、ハウジング１の開口を閉塞するレンズカバー（カバー）４０Ａとを備えている。
【００５３】
ハウジング１は、光を透過させない部材より形成されている。ハウジング１は、概略外形が直方体である。ハウジング１は前記第１実施形態と同様に、部品収容室２とコネクタ嵌合室（図示せず）を有する。部品収容室２とコネクタ嵌合室（図示せず）の間には、仕切壁４が設けられている。部品収容室２とコネクタ嵌合室（図示せず）と仕切壁４の構成は、前記第１実施形態と同様の構成であるため、重複説明を省略する。図面の前記第１実施形態と同一構成箇所には、同一符号を付して明確化を図る。
【００５４】
ハウジング１の底壁５の外側には、図１７に示すように、幅方向に延びる係止突起１５と係止突起１５の両端に連続する一対の補強突起（符号を付さず）が設けられている。係止突起１５及び一対の補強突起は、レンズカバー４０Ａの組み付け完了位置では、レンズカバー４０Ａの下記する切欠部４９の位置に入り込む位置に設定されている。
【００５５】
各バスバー２０及び回路基板３０は、共に前記第１実施形態と同一の構成であるため、重複説明を省略する。図面の第１実施形態と同一構成箇所には、同一符号を付して明確化を図る。
【００５６】
レンズカバー４０Ａは、光を透過させる材料と光を透過させない材料より二色成形で形成されている。レンズカバー４０Ａは、光を透過させる材料の断面部位と光を透過させない材料の断面部位が同一ハッチングで表示されている。レンズカバー４０Ａは、上面部４１と後面部４２と一対の側面部５２と底面部５３とを有し、前面側が開口されている。この開口された前面側から内部にハウジング１を挿入することによりレンズカバー４０Ａがハウジング１に組付けられる。レンズカバー４０Ａは、ハウジング１に組付けされた状態では、ハウジング１の部品収容室２の上面開口と後面開口を閉塞する。
【００５７】
上面部４１には、前記第１実施形態と同一構成のカバー側取付部４５が突設されている。カバー側取付部４５は、前記第１実施形態と同一の構成であるため、重複説明を省略する。図面の第１実施形態と同一構成箇所には、同一符号を付して明確化を図る。上面部４１の円筒部４５ａ内は、少なくとも光を透過させる部材で形成されている。発光ダイオード３１の光は、レンズカバー４０Ａを介して外部に出射される。
【００５８】
一対の側面部５２の外側には、一対のロック用突起５７が設けられている。この一対のロック用突起５７を用いても照明ユニットＢが車両に固定することができる。
【００５９】
底面部５３には、図１９に示すように、弾性ロック部４８が設けられている。弾性ロック部４８は、底面部５３に切欠部４９を形成することによってレンズカバー４０Ａに一体に設けられている。弾性ロック部４８は、レンズカバー４０Ａの組み付け方向の前方側をレンズカバー４０Ａへの支持部とし、組み付け方向の後方側に向かって延設された片持ち支持の弾性アーム部５０と、弾性アーム部５０の組み付け方向の後方側、つまり、自由端側に設けられたロック爪部５１とを有する。
【００６０】
後面部４２の内面には、図１９に詳しく示すように、上方部が垂直方向に対し上方から下方に向かって開く方向に傾斜し、且つ、下方部が垂直方向に延びる一対のリブ４２ａが設けられている。つまり、リブ５２ａは、その高さを変化させて形成されている。レンズカバー４０Ａは、ハウジング１への組付け完了位置では、後面部４２の傾斜しているリブ４２ａの部位が回路基板３０の挿入後端面に当接する（図２１参照）。
【００６１】
次に、照明ユニットＢの組付け手順を説明する。前記第１実施形態と同様に、各バスバー２０をハウジング１の部品収容室２に挿入する。バスバー２０は、固定接点部２２及びバネ接点部２３が部品収容室２に、タブ端子部２５が仕切壁４の端子貫通孔９よりコネクタ嵌合室３にそれぞれ配置される。
【００６２】
次に、前記第１実施形態と同様に、回路基板３０をハウジング１の部品収容室２に挿入する。回路基板３０の基板完了位置では、各バスバー２０と回路基板３０の各接点部３３が電気的に接続される。
【００６３】
次に、図２０に示すように、レンズカバー４０Ａをハウジング１の開口後面側よりハウジング１に組付ける。組み付け過程では、先ず、ロック爪部５１が係止突起１５に突き当たる。この位置より深くハウジング１をレンズカバー４０Ａ内に挿入すると、弾性アーム部５０の撓み変形によってロック爪部５１が係止突起１５を乗り越え、ロック爪部５１が弾性アーム部５０の撓み復帰方向によって係止突起１５に係止される。これで、組付けが完了する。
【００６４】
以上説明したように、照明ユニットＢは、相手コネクタが嵌合されるコネクタ嵌合室３と部品収容室２とを有するハウジング１と、部品収容室２に挿入によって収容され、コネクタ嵌合室３に突出される嵌合用端子部であるタブ端子部２５と、タブ端子部２５に一体に設けられ、部品収容室２に配置される基板接点部である固定接点部２２及びバネ接点部２３とを有するバスバー２０と、部品収容室２に挿入によって収容され、バスバー２０の基板接点部である固定接点部２２及びバネ接点部２３に電気的に接続される回路基板３０とを備え、ハウジング１には、挿入完了位置の回路基板３０を位置決めする基板ガイド溝８が設けられ、バスバー２０の基板接点部２２，２３には、挿入完了位置の回路基板３０に位置決めされる基板前面突き当て面２１ａ及び基板下面突き当て面２２ａが設けられている。
【００６５】
従って、バスバー２０がハウジング１ではなくて回路基板３０に挟持することによって位置決めされるため、複数のバスバー２０が回路基板３０にバラツキなく位置決めされ、複数のバスバー２０がバラツキなく位置決めされた回路基板３０がハウジング１に位置決めされる。従って、各バスバー２０がハウジング１に対して精度良く位置決めされることになり、相手コネクタの相手端子（図示せず）とタブ端子部２５の間、及び、各バスバー２０と回路基板３０との間で安定した電気的接続性が確保できる。
【００６６】
バスバー２０の基板接点部２２，２３は、ベースプレート部２１の一方側に延びる固定接点部２２と、固定接点部２２に間隔を置いてベースプレート部２１の一方側に延びるバネ接点部２３を有し、バスバー２０のバスバー位置決め部は、ベースプレート部２１の一方側の端面に基板前面突き当て面２１ａと、固定接点部２２のバネ接点部２３側の端面に形成された基板下面突き当て面２２ａとを有する。従って、前記第１実施形態と同様の理由により、バスバー２０の構成が複雑化せず、バスバー２０の半挿入状態を防止できる。
【００６７】
バスバー２０は、ベースプレート部２１の一方側に延び、且つ、バネ接点部２３の固定接点部２２とは反対側に保護突起部２４を有する。従って、前記第１実施形態と同様の理由により、バネ接点部２３が他部品に干渉することによって損傷することを極力防止できる。
【００６８】
バスバー２０には、バスバー挿入完了位置でハウジング１に係止する係止爪部２６が設けられている。従って、前記第１実施形態と同様の理由により、組付け作業性が向上する。
【００６９】
ハウジング１の部品収容室２には、バスバー２０の挿入をガイドするバスバーガイド溝７と、回路基板３０の挿入をガイドする基板ガイド溝８が設けられている。従って、バスバー２０と回路基板３０の挿入作業性が向上する。
【００７０】
基板ガイド溝８が基板位置決め部を兼用する。従って、ハウジング１の構成が複雑化しない。
【００７１】
ハウジング１には、部品収容室２に収容されたバスバー２０の両側面に当接するバスバー横規制壁１４が設けられている。従って、バスバー２０の横ずれや斜め姿勢を防止できる。
【００７２】
図２１に示すように、レンズカバー４０Ａの後面部４２の内面、詳細にはリブ４２ａが回路基板３０の挿入後端面を突き当たる。ここで、後面部４２のリブ４２ａは傾斜しているため、回路基板３０が半挿入位置までしか挿入されていない場合には、レンズカバー４０Ａの後面部４２が回路基板３０を押圧して回路基板３０が挿入完了位置まで移動するため、回路基板３０の半挿入を防止できる。レンズカバー４０Ａの後面部４２で、且つ、傾斜しているリブ４２ａが回路基板３０を押圧するため、回路基板３０を下方にも押圧する分力が作用し、回路基板３０が基板ガイド溝８の底面に押圧される。回路基板３０は、ハウジング１の基板ガイド溝８の底面を基準として位置決めされる。従って、ハウジング１内に収容された回路基板３０と各バスバー２０は、ハウジング１を基準として精度良く上下方向に位置決めされる。
【００７３】
なお、後面部４２は、その内面の上面部が垂直方向に対し上方から下方に向かって開く方向に傾斜する傾斜面で、且つ、その内面の下方部が垂直面に形成され、傾斜面及び垂直面に同一高さの一対のリブ４２が設けても良い。
【００７４】
バスバー２０には、バスバー挿入完了位置でハウジング１に当接するハウジング突き当て面２１ｂと、回路基板３０の挿入完了位置で回路基板３０の先端面が当接する基板前面突き当て面２１ａが設けられている。従って、部品収容室２に収容されたバスバー２０は、ハウジング突き当て面２１ｂがハウジング１に突き当たることによってバスバー挿入方向の移動が阻止され、基板突き当て面２１ａが回路基板３０に突き当たることによってバスバー挿入方向の反対方向への移動が阻止される。
【符号の説明】
【００７５】
Ａ，Ｂ  照明ユニット
１  ハウジング
２  部品収容室
３  コネクタ嵌合室
７  バスバーガイド溝
８  基板ガイド溝（基板位置決め部）
１４  バスバー横規制壁
２０  バスバー
２１  ベースプレート部
２１ａ  基板前面突き当て面（バスバー位置決め部）
２２  固定接点部（基板接点部）
２２ａ  基板下面突き当て面（バスバー位置決め部）
２３  バネ接点部（基板接点部）
２４  保護突起部
２５  タブ端子部（嵌合用端子部）
２６  係止爪部
３０  回路基板
３５  レンズ
４０，４０Ａ  レンズカバー（カバー）
【図１】
2020013674.tif 000003
【図２】
2020013674.tif 000004
【図３】
2020013674.tif 000005
【図４】
2020013674.tif 000006
【図５】
2020013674.tif 000007
【図６】
2020013674.tif 000008
【図７】
2020013674.tif 000009
【図８】
2020013674.tif 000010
【図９】
2020013674.tif 000011
【図１０】
2020013674.tif 000012
【図１１】
2020013674.tif 000013
【図１２】
2020013674.tif 000014
【図１３】
2020013674.tif 000015
【図１４】
2020013674.tif 000016
【図１５】
2020013674.tif 000017
【図１６】
2020013674.tif 000018
【図１７】
2020013674.tif 000019
【図１８】
2020013674.tif 000020
【図１９】
2020013674.tif 000021
【図２０】
2020013674.tif 000022
【図２１】
2020013674.tif 000023